(57)【要約】【課題】簡単な構造で水道の水圧が基準圧力以下のときにのみ加圧ポンプを運転できる水道管直結用ポンプ装置を提供する。【解決手段】水道管からの水圧が基準圧力より低いときは、圧力スイッチ４４がＯＮ状態となって加圧ポンプ１２を動作させるとともに、三方弁４８によって水道管からの水を加圧ポンプ１２に流し、水道管からの水圧が基準圧力より高いときは、圧力スイッチ４４がＯＦＦ状態となって加圧ポンプ１２を停止させるとともに、三方弁４８によって水道管からの水を直接流すものである。【選択図】      図１
2009052524.tif 000002
【特許請求の範囲】
【請求項１】
水道管と加圧ポンプとの間に接続される水路切替え装置において、
前記水道管と接続される吸水部と、
前記加圧ポンプの吸水部に接続される第１送水部と、
前記加圧ポンプの送水管に直接接続される第２送水部と、
前記吸水部と前記第１送水部、及び、前記吸水部と前記第２送水部とをそれぞれ接続する分岐空間と、
前記分岐空間に設けられ、前記水道管からの水を前記吸水部から前記第１送水部へ流れるように、または、前記吸水部から前記第２送水部へ流れるように、前記水道管からの水の圧力によって動作して切り替える三方弁と、
前記吸水部に設けられた前記加圧ポンプを動作させるための圧力スイッチと、
を有し、
前記水道管からの水圧が基準圧力より低いときは、前記圧力スイッチがＯＮ状態となって前記加圧ポンプを動作させると共に、前記三方弁によって前記水道管からの水を前記吸水部から前記第１送水部へ流し、
前記水道管からの水圧が前記基準圧力より高いときは、前記圧力スイッチがＯＦＦ状態となって前記加圧ポンプを停止させると共に、前記三方弁によって前記水道管からの水を前記吸水部から前記第２送水部へ流す、
水路切替え装置。
【請求項２】
前記三方弁は、
前記第１送水部へ通じる第１送水路と、前記第２送水部へ通じる第２送水路を横断すると共に、前記水道管からの水圧によって前記横断方向に沿って初期位置から退避位置へ摺動する弁体と、
前記弁体に形成された１個の通水路と、
前記弁体を前記退避位置から前記初期位置へ付勢する付勢部と、
を有し、
前記水道管からの水圧が前記基準圧力より低いときは、前記弁体が前記初期位置において、前記吸水部と前記第１送水部とを前記通水路によって接続し、前記吸水部と前記第２送水部とを遮断し、
前記水道管からの水圧が前記基準圧力より高いときは、前記付勢部の付勢力に反して前記弁体を前記初期位置から前記退避位置へ摺動させて、前記吸水部と前記第２送水部とを接続し、前記吸水部と前記第１送水部とを遮断する、
請求項１記載の水路切替え装置。
【請求項３】
前記付勢部は、複数枚の皿バネであって、前記複数枚の皿バネを前記横断方向に沿って重ねている、
請求項２記載の水路切替え装置。
【請求項４】
請求項１記載の水路切替え装置と、この水路切替え装置に接続された加圧ポンプとから構成される、
水道管直結用ポンプ装置。
【発明の詳細な説明】
【技術分野】
【０００１】
本発明は、水道管に直接接続され、水道管からの水を加圧ポンプに送水する水路切替え装置と、この水路切替え装置を用いた水道管直結用ポンプ装置に関するものである。
【背景技術】
【０００２】
従来より、水道管からの水圧が弱いときに加圧ポンプによって加圧して送り出すポンプ装置が提供されている。例えば、特許文献１に示すように、水道管の水圧が基準圧力以下のときだけ加圧ポンプを運転し、基準圧力以上のとき（流量が所定値以下のとき）は加圧ポンプを停止させるように、圧力センサ、流量センサ及び制御盤を備えている。
【特許文献１】特開平９−２８７５７３号公報
【発明の開示】
【発明が解決しようとする課題】
【０００３】
上記のようなポンプ装置においては、圧力センサ、流量センサ及び制御盤を備えているため、装置全体の大きさが大きくなり、その構造も複雑になり、また、コストも上昇するという問題点がある。
【０００４】
そこで、本発明は上記問題点に鑑み、簡単な構造で水道の水圧が基準圧力以下のときにのみ加圧ポンプを運転するために用いられる水路切替え装置と、この水路切替え装置を用いた水道管直結用ポンプ装置を提供する。
【課題を解決するための手段】
【０００５】
本発明は、水道管と加圧ポンプとの間に接続される水路切替え装置において、前記水道管と接続される吸水部と、前記加圧ポンプの吸水部に接続される第１送水部と、前記加圧ポンプの送水管に直接接続される第２送水部と、前記吸水部と前記第１送水部、及び、前記吸水部と前記第２送水部とをそれぞれ接続する分岐空間と、前記分岐空間に設けられ、前記水道管からの水を前記吸水部から前記第１送水部へ流れるように、または、前記吸水部から前記第２送水部へ流れるように、前記水道管からの水の圧力によって動作して切り替える三方弁と、前記吸水部に設けられた前記加圧ポンプを動作させるための圧力スイッチと、を有し、前記水道管からの水圧が基準圧力より低いときは、前記圧力スイッチがＯＮ状態となって前記加圧ポンプを動作させると共に、前記三方弁によって前記水道管からの水を前記吸水部から前記第１送水部へ流し、前記水道管からの水圧が前記基準圧力より高いときは、前記圧力スイッチがＯＦＦ状態となって前記加圧ポンプを停止させると共に、前記三方弁によって前記水道管からの水を前記吸水部から前記第２送水部へ流す、水路切替え装置である。
【０００６】
また、本発明は、上記発明の水路切替え装置と、この水路切替え装置に接続された加圧ポンプとから構成される、水道管直結用ポンプ装置である。
【発明の効果】
【０００７】
本発明の水路切替え装置によれば、三方弁と圧力スイッチから構成される簡単な構造であるため、装置全体を小型化し、コストを下げることができる。
【発明を実施するための最良の形態】
【０００８】
本発明の一実施形態の水道管直結用ポンプ装置（以下、単にポンプ装置という）１０について図１及び図２に基づいて説明する。
【０００９】
このポンプ装置は、加圧ポンプ１２と、水道管と加圧ポンプ１２との間に設けられた水路切替え装置１１から構成される。
【００１０】
（１）水路切替え装置１１の構造
図１及び図２に基づいて水路切替え装置１１の構造について説明する。
【００１１】
水路切替え装置１１は、水道管と接続される吸水部１４と、ポンプ１２の吸水部に連結される第１送水部１６と、加圧ポンプ１２の送水部から延びる送水管１３に連結される第２送水部１８とを有している。
【００１２】
水路切替え装置１１内部は、三方弁４８が形成され、この三方弁１８は、吸水部１４と第１送水部１６及び吸水部１４と第２送水部１８を連結する分岐空間２０を有している。詳しくは、図１及び図２に示すように、吸水部１４からの吸水通路２２が横方向に配され、第１送水部１６からの第１送水通路２４が縦方向に配され、第２送水部１８からの第２送水通路２６の縦方向に配され、この３本の通路２２，２４，２６が交わった位置が分岐空間２０となっている。
【００１３】
この分岐空間２０の下面は、パッキング２８を介して着脱自在に蓋３０が設けられている。
【００１４】
この分岐空間２０において、筒状の弁体３２が第１送水通路２４、第２送水通路２６を横断するように、かつ、摺動自在に設けられ、初期位置（図１の位置）と移動位置（図２の位置）の間を移動する。この横断方向は、吸水通路２２と平行である。すなわち、この分岐空間２０と弁体３２によって三方弁４８を構成している。
【００１５】
弁体３２には、縦方向に通水路３４が設けられている。そして、弁体３２の左側には、筒状の収納部３６が設けられ、その内部に、複数枚の皿バネ３８が、横方向に重ねて収納されている。この皿バネ３８の左端部には、円板状の押圧板４０が設けられ、この押圧板４０は、調整ネジ４２によって横方向に移動自在となっている。この調整ネジ４２を支持板４１に螺合させることによって、押圧板４０が横方向に移動し、皿バネ３８に対する圧縮力を調整できる。
【００１６】
弁体３２の右側は、水道からの水圧（以下、単に水圧という）を受け易いように凹部が形成され受圧部４６を形成している。
【００１７】
吸水通路２２の上端部には、吸水通路２２内部の水圧を測定するための圧力スイッチ４４が設けられている。この圧力スイッチ４４は、水道からの水圧が基準圧力より低くなるとＯＮ状態となり、加圧ポンプ１２を駆動させる。なお、この複数枚の皿バネ３８の付勢力は、圧力スイッチ４４で検出する基準圧力を受けたときに、図２に示すように縮むよう調整ネジ４２で調整しておく。
【００１８】
（２）水路切替え装置１１の動作状態
次に、水路切替え装置１１の動作状態について図１及び図２に基づいて説明する。
【００１９】
（２−１）水圧が基準圧力より低いとき
図１に基づいて、水圧が基準圧力より低いときについて説明する。
【００２０】
水圧が基準圧力より低いときには、弁体３２の受圧部４６が受ける圧力が弱いため、皿バネ３８の付勢力に反して弁体３２を図１に示す初期位置から移動させることはできない。この初期位置において弁体３２の通水路３４が、吸水通路２２と第１送水通路２４とを接続し、吸水通路２２と第２送水通路２６を遮断している。このため、このとき水道からの水は、吸水通路２２を通り、さらに分岐空間２０の下方をバイパスして通水路３４を通り第１送水通路２４に流れ、加圧ポンプ１２に流れる。
【００２１】
一方、圧力スイッチ４４は、基準圧力よりも水圧が低いためＯＮ状態となり加圧ポンプ１２を動作させる。したがって、加圧ポンプ１２は、水路切替え装置１１から送られてきた水を加圧し、送水管１３を通じて外部に送水する。このため、ユーザは常に一定の圧力で水道の水を受けることができる。
【００２２】
（２−２）水圧が基準圧力より高いとき
図２に基づいて、水圧が基準圧力より高いときについて説明する。
【００２３】
水圧が基準圧力より高いときは、弁体３２の受圧部４６が受ける圧力が高くなり、複数枚の皿バネ３８は図２に示すように縮むこととなる。そのため、弁体３２は図２に示すように初期位置から移動位置に移動し、弁体３２によって吸水通路２２と第１送水通路２４との間が遮断され、第２送水通路２６と吸水通路２２との間が開放される。このため水が直接加圧ポンプ１２の送水管１３に直接流れる。
【００２４】
一方、圧力スイッチ４４は、基準圧力より水圧が高いためＯＦＦ状態となり、加圧ポンプ１２を停止させる。
【００２５】
これにより、水圧が基準圧力より高いとき（流量が所定値以下のとき）は、加圧ポンプ１２を停止させ直接水を流すことができる。
【００２６】
（３）効果
本実施形態のポンプ装置１０であると、水圧が基準圧力より低いときには加圧ポンプ１２によって加圧して送り出すことができる。
【００２７】
また、基準圧力よりも水圧が高いときは水道の水を直接送り出すことができる。
【００２８】
また、水路切替え装置１１の構造が圧力スイッチ４４と、複数枚の皿バネ３８を有する弁体から構成されるだけの簡単な構造であるため、装置全体が大きくならず、小型化でき、コストも抑えることができる。
【００２９】
（変更例）
本発明は上記各実施形態に限らず、その主旨を逸脱しない限り種々に変更することができる。
【図面の簡単な説明】
【００３０】
【図１】本発明の一実施形態を示すポンプ装置の縦断面図であり、弁体が初期位置にある場合である。
【図２】同じくポンプ装置において弁体が移動位置にある場合の図である。
【符号の説明】
【００３１】
１０  ポンプ装置
１１  水路切替え装置
１２  加圧ポンプ
１４  吸水部
１６  第１送水部
１８  第２送水部
２０  分岐空間
２２  吸水通路
２４  第１送水通路
２６  第２送水通路
３２  弁体
３４  通水路
３８  皿バネ
４４  圧力スイッチ
【図１】
2009052524.tif 000003
【図２】
2009052524.tif 000004